(57)【特許請求の範囲】
【請求項１】
２つの隣接した椎体間の挿入のためのインプラントを含むシステムであって、該インプラントは：
（ａ）隣接した椎体の第１部に接触するための第１の接触面を持つ底部であって、第２の部分に対して変位可能な第１の部分を備え、初期の長さを有し、且つ、前記第１の部分が前記第２の部分に変位されることで第２の長さに短縮される、底部；
（ｂ）隣接した椎体の第２部に接触するための第２の接触面を持つヒンジ付けした要素であって、ヒンジにおいて前記底部の前記第１の部分と相互接続される、ヒンジ付けした要素；及び
（ｃ）第１の軸の周囲で枢動自在となるように前記底部の前記第２の部分にヒンジ接続され、且つ第２の軸の周囲で枢動自在となるように前記ヒンジ付けした要素に更にヒンジ接続される、連結セグメント
を備え、
ここで、前記底部、前記ヒンジ付けした要素、及び前記連結セグメントは、前記底部の与えられた長さのために剛性の三角形形状で、前記第１の軸、前記第２の軸、及び前記ヒンジの、前記ヒンジ接続を相互接続し、その結果、前記初期の長さから前記第２の長さへの底部の短縮により、前記連結セグメントは前記底部から前記ヒンジ付けした要素の領域を押し離し、それにより、前記第１の接触面に対する前記第２の接触面の角度を変更し、
ここで、前記第１の接触面と前記第２の接触面の各々は、前記第１の軸に平行なインプラントの寸法にわたり、且つ２つの隣接した椎体の終板それぞれを把持するために構成される複数の突出する特徴が設けられており、それにより、インプラントが第１の椎体と第２の椎体との間に展開されるとともに、前記底部が短縮されると、前記第１の接触面に対する前記第２の接触面の角度の変化は、第１の椎体と第２の椎体との間の相対的角度の矯正の範囲を調節し、
ここで、前記第２の接触面は接触面長さとして言及される最大寸法を持ち、及び、前記連結セグメントは、連結セグメント長さとして言及される前記第１の軸と前記第２の軸との間に寸法を有し、前記接触面長さは前記連結セグメント長さよりも少なくとも４０％長い
ことを特徴とするシステム。
【請求項２】
前記ヒンジ付けした要素は、前記ヒンジから最も遠く離れた前記ヒンジ付けした要素上の点に対応する端部を持ち、ここで、前記連結セグメントと前記ヒンジ付けた要素との間のヒンジ接続の位置は、前記接触面長さの少なくとも１０％、前記端部から離される、ことを特徴とする請求項１に記載のシステム。
【請求項３】
展開ロッドを更に備え、
遠位方向でインプラントの前記近位端に加えられる力が、前記展開ロッドに加えられる反力によって対抗され得、その結果、底部の短縮が生じるように、前記展開ロッドはインプラントの近位端にある開口部を介して挿入され、且つ、前記底部の前記第１及び第２の部分の遠位部分に係合する、請求項１に記載のシステム。
【請求項４】
前記第１の部分と前記第２の部分は、一連のラチェット歯と弾性的に付勢された戻り止めを備えるラチェット構成を画定する、相補的な特徴により形成され、前記ラチェット構成は、前記初期の長さから様々な長さへの前記底部の短縮を可能にし、且つ前記底部の延長に対抗するように展開される、ことを特徴とする請求項１に記載のシステム。
【請求項５】
インプラントの開口部を介して挿入可能であり、且つ、前記底部の延長を可能にするために前記戻り止めの前記ラチェット歯との係合を解除するように展開可能である、ラチェット解除要素を更に備える、ことを特徴とする請求項４に記載のシステム。
【請求項６】
展開ロッドを更に備え、
遠位方向でインプラントの前記近位端に加えられる力が、前記展開ロッドに加えられる張力によって対抗され得、その結果、底部の短縮が生じるように、前記展開ロッドはインプラントの近位端にある開口部を介して挿入され、且つ、前記底部の前記第１及び第２の部分の遠位部分に係合する、請求項４に記載のシステム。
【請求項７】
前記展開ロッドと前記遠位部分との係合は、前記遠位部分との係合が維持される間に前記展開ロッドの第１の動作を可能にするように構成され、ここで、前記展開ロッドは、前記底部の延長を可能にするために前記戻り止めの前記ラチェット歯との係合を解除するように前記ラチェット構成の一部を圧迫させるのに、第１の動作が有効であるように展開される、少なくとも１つの特徴を持つ、ことを特徴とする請求項６に記載のシステム。
【請求項８】
前記展開ロッドの前記遠位部分との係合は螺合部であり、ここで、前記第１の動作は、螺合部に対して前記展開ロッドを進行させるのに有効な回転である、ことを特徴とする請求項７に記載のシステム。
【請求項９】
前記第１の接触面と前記第２の接触面は各々、合計で接触面の占有領域の全面積の少なくとも４分の１である１以上の開口部を持つ、部分的な表面である、ことを特徴とする請求項１に記載のシステム。
【請求項１０】
前記第１の接触面は第１の接触平面を画定し、前記第２の接触面は第２の接触平面を画定し、ここで、前記初期の長さから前記第２の長さまでの前記底部の短縮は、前記第１の接触平面に対して少なくとも１０°の角度範囲を介して、前記第２の接触平面を変位させる、ことを特徴とする請求項１に記載のシステム。
【請求項１１】
隣接した椎体間の挿入のためのインプラントを含むシステムであって、該インプラントは：
（ａ）隣接した椎体の第１部に接触するための第１の接触面を持つ底部であって、第２の部分に対して変位可能な第１の部分を備え、初期の長さを有し、且つ、前記第１の部分が前記第２の部分に対して相対的に変位されることで第２の長さに短縮される、底部；
（ｂ）隣接した椎体の第２部に接触するための第２の接触面を持つヒンジ付けした要素であって、ヒンジにおいて前記底部の前記第１の部分と相互接続される、ヒンジ付けした要素；及び
（ｃ）第１の軸の周囲で枢動自在となるように前記底部の前記第２の部分にヒンジ接続され、且つ第２の軸の周囲で枢動自在となるように前記ヒンジ付けした要素に更にヒンジ接続される、連結セグメント
を備え、
ここで、前記底部、前記ヒンジ付けした要素、及び前記連結セグメントは、前記底部の与えられた長さのために剛性の三角形形状で、前記第１の軸、前記第２の軸、及び前記ヒンジの、前記ヒンジ接続を相互接続し、その結果、前記初期の長さから前記第２の長さへの前記底部の短縮により、前記連結セグメントは前記底部から前記ヒンジ付けした要素の領域を押し離し、それにより、前記第１の接触面に対する前記第２の接触面の角度を変更し、
ここで、前記第１の接触面と前記第２の接触面の各々は、２つの隣接した椎体の終板それぞれを把持するために構成される複数の突出する特徴が設けられ、
ここで、前記第２の接触面は接触面長さとして言及される最大寸法を持ち、及び、前記ヒンジ付けした要素は、前記ヒンジから最も遠く離れた前記ヒンジ付けした要素上の点に対応する端部を持ち、ここで、前記連結セグメントと前記ヒンジ付けた要素との間のヒンジ接続の位置は、前記接触面長さの少なくとも１０％、前記ヒンジ付けした要素の端部から離される
ことを特徴とするシステム。
【請求項１２】
前記連結セグメントは、連結セグメント長さとして言及される前記第１の軸と前記第２の軸との間に寸法を有し、前記接触面長さは前記連結セグメント長さよりも少なくとも４０％長い、ことを特徴とする請求項１１に記載のシステム。
【請求項１３】
展開ロッドを更に備え、
遠位方向でインプラントの前記近位端に加えられる力が、前記展開ロッドに加えられる反力によって対抗され得、その結果、底部の短縮が生じるように、前記展開ロッドはインプラントの近位端にある開口部を介して挿入され、且つ、前記底部の前記第１及び第２の部分の遠位部分に係合する、請求項１１に記載のシステム。
【請求項１４】
前記第１の部分と前記第２の部分は、一連のラチェット歯と弾性的に付勢された戻り止めを備えるラチェット構成を画定する、相補的な特徴により形成され、前記ラチェット構成は、前記初期の長さから様々な長さへの前記底部の短縮を可能にし、且つ前記底部の延長に対抗するように展開される、ことを特徴とする請求項１１に記載のシステム。
【請求項１５】
インプラントの開口部を介して挿入可能であり、且つ、前記底部の延長を可能にするために前記戻り止めの前記ラチェット歯との係合を解除するように展開可能である、ラチェット解除要素を更に備える、ことを特徴とする請求項１４に記載のシステム。
【請求項１６】
展開ロッドを更に備え、
遠位方向でインプラントの前記近位端に加えられる力が、前記展開ロッドに加えられる張力によって対抗され得、その結果、底部の短縮が生じるように、前記展開ロッドはインプラントの近位端にある開口部を介して挿入され、且つ、前記底部の前記第１及び第２の部分の遠位部分に係合する、請求項１４に記載のシステム。
【請求項１７】
前記展開ロッドと前記遠位部分との係合は、前記遠位部分との係合が維持される間に前記展開ロッドの第１の動作を可能にするように構成され、ここで、前記展開ロッドは、前記底部の延長を可能にするために前記戻り止めの前記ラチェット歯との係合を解除するように前記ラチェット構成の一部を圧迫させるのに、第１の動作が有効であるように展開される、少なくとも１つの特徴を持つ、ことを特徴とする請求項１６に記載のシステム。
【請求項１８】
前記展開ロッドの前記遠位部分との係合は螺合部であり、ここで、前記第１の動作は、螺合部に対して前記展開ロッドを進行させるのに有効な回転である、ことを特徴とする請求項１７に記載のシステム。
【請求項１９】
前記第１の接触面と前記第２の接触面は各々、合計で接触面の占有領域の全面積の少なくとも半分である１以上の開口部を持つ、部分的な表面である、ことを特徴とする請求項１１に記載のシステム。
【請求項２０】
前記第１の接触面は第１の接触平面を画定し、前記第２の接触面は第２の接触平面を画定し、ここで、前記初期の長さから前記第２の長さまでの前記底部の短縮は、前記第１の接触平面に対して少なくとも１０°の角度範囲を介して、前記第２の接触平面を変位させる、ことを特徴とする請求項１１に記載のシステム。
【発明の詳細な説明】
【技術分野】
【０００１】
本発明は、整形外科用インプラントに関するものであり、具体的に、２つの組織接触面の間に調整可能な角度を備える整形外科用インプラントに関する。
【背景技術】
【０００２】
様々な整形外科手術において組織表面の間にインプラントを展開することが知られており、様々な場合において、インプラントを使用して組織表面の間の角度の関連性を修正することが、好都合な場合がある。限定されないが、この必要性は、脊椎骨間の前湾角度の復元のための、又は、脊椎骨間の脊柱側弯症の誤整列を矯正するための必要性がある場合など、脊椎の手術に生じる場合がある。
【０００３】
特定の場合、インプラントが身体内に配された後、組織接触面の間の角度を調整することが可能な場合がある。このような調整を行なうためのデバイスの一例は、Ｙｏｕｎｇらに対する米国特許第６１９０４１４号である。
【０００４】
それ故、２つの組織接触面の間に調整可能な角度を備える整形外科用インプラントが必要とされる。
【発明の概要】
【０００５】
本発明は、２つの組織接触面の間に調整可能な角度を備える整形外科用インプラントである。
【０００６】
本発明の教示に従い、組織の２つの領域の間に挿入するためのインプラントが提供され、該インプラントは：（ａ）組織の第１の領域に接触するための第１の接触面を持つ底部であって、第２の部分に対して相対的に変位可能な第１の部分を備え、初期の長さを呈し（ａｓｓｕｍｉｎｇ）、且つ、第１の部分が第２の部分に対して変位される場合に第２の長さに短縮される、底部；（ｂ）組織の第２の領域に接触する第２の接触面を持つヒンジ付けした要素であって、有効なヒンジにおいて底部の第１の部分と相互接続される、ヒンジ付けした要素；及び（ｃ）底部の第２の部分とヒンジ付けした要素との両方にヒンジ接続される（ｈｉｎｇｅｄｌｙ ｃｏｎｎｅｃｔｅｄ）連結セグメントを備え、そのため、初期の長さから第２の長さへの底部の短縮により、連結セグメントは底部からヒンジ付けした要素の領域を押し離し、それにより、第１の接触面に対する第２の接触面の角度を変更し、ここで、第２の接触面は接触面長さとして言及される最大寸法を持ち、及び、連結セグメントは、連結セグメント長さとして称されるヒンジ接続の軸の間に寸法を有し、接触面長さは連結セグメント長さよりも少なくとも４０％長い。
【０００７】
本発明の特定の実施形態の付加的又は代替的な特徴に従い、ヒンジ付けした要素は、有効なヒンジから最も遠く離れたヒンジ付けした要素上の点に対応する端部を持ち、ここで、連結セグメントとヒンジ付けした要素との間のヒンジ接続の位置は、接触面長さの少なくとも１０％、端部から離される。
【０００８】
本発明の特定の実施形態の更なる特徴に従い、インプラントの近位端にある開口部を介して挿入され、且つ、底部の第１及び第２の部分の遠位部分に係合する、展開ロッドも提供され、それにより、遠位方向でインプラントの近位端に加えられる力は、展開ロッドに加えられる反力によって対抗され得、その結果、底部の短縮が生じる。
【０００９】
本発明の特定の実施形態の更なる特徴に従い、第１の部分と第２の部分は、一連のラチェット歯と弾性的に付勢された戻り止めを備えるラチェット構成を画定する、相補的な特徴により形成され、ラチェット構成は、初期の長さから様々な長さまでの底部の短縮を可能にし、且つ底部の延長に対抗するように展開される。
【００１０】
本発明の特定の実施形態の更なる特徴に従い、インプラントの開口部を介して挿入可能であり、且つ、底部の延長を可能にするために戻り止めのラチェット歯との係合を解除するように展開可能である、ラチェット解除要素も提供される。
【００１１】
本発明の特定の実施形態の更なる特徴に従い、インプラントの近位端にある開口部を介して挿入され、且つ、底部の第１及び第２の部分の遠位部分に係合する、展開ロッドも提供され、それにより、遠位方向でインプラントの近位端に加えられる力は、展開ロッドに加えられる張力によって対抗され得、その結果、底部の短縮が生じる。
【００１２】
本発明の特定の実施形態の更なる特徴に従い、展開ロッドと遠位部分との係合は、遠位部分との係合が維持される間に展開ロッドの第１の動作を可能にするように構成され、ここで、展開ロッドは、底部の延長を可能にするために戻り止めのラチェット歯との係合を解除するようにラチェット構成の一部を圧迫させる（ｂｅａｒ  ｏｎ）のに、第１の動作が有効であるように展開される、少なくとも１つの特徴を持つ。
【００１３】
本発明の特定の実施形態の更なる特徴に従い、展開ロッドの遠位部分との係合は螺合部（ｔｈｒｅａｄｅｄ ｅｎｇａｇｅｍｅｎｔ）であり、ここで、第１の動作は、螺合部に対して展開ロッドを進行させるのに有効な回転である。
【００１４】
本発明の特定の実施形態の更なる特徴に従い、第１の接触面と第２の接触面は各々、合計で接触面の占有領域（ｆｏｏｔｐｒｉｎｔ）の全面積の少なくとも４分の１である１以上の開口部を持つ、部分的な表面である。
【００１５】
本発明の特定の実施形態の更なる特徴に従い、第１の接触面は第１の接触平面を画定し、第２の接触面は第２の接触平面を画定し、ここで、初期の長さから第２の長さまでの底部の短縮は、第１の接触平面に対して少なくとも１０°の角度範囲を介して、第２の接触平面を変位させる。
【図面の簡単な説明】
【００１６】
本発明は、ほんの一例ではあるが添付図面を参照するとともに、本明細書に記載される。
【図１Ａ】２つの組織接触面の間に調整可能な角度を備える、本発明の実施形態に従い構築され且つ作動するインプラントの等角図であり、インプラントは最小角度の状態で示される。
【図１Ｂ】２つの組織接触面の間に調整可能な角度を備える、本発明の実施形態に従い構築され且つ作動するインプラントの等角図であり、インプラントは増大した角度の状態で示される。
【図１Ｃ】インプラントの近位側部からの、図１Ｂに類似する等角図である。
【図２Ａ】インプラントの上から得られる、図１Ａに対応する更なる等角図である。
【図２Ｂ】インプラントの上から得られる、図１Ｂに対応する更なる等角図である。
【図３Ａ】図１Ａのインプラントの構成部品を示す、等角図である。
【図３Ｂ】図１Ａのインプラントの構成部品を示す、側面分解図である。
【図４Ａ】最小角度の状態にある、図１Ａのインプラントを介して得られる中心面の断面図である。
【図４Ｂ】中間角度の状態にある、図１Ａのインプラントを介して得られる中心面の断面図である。
【図４Ｃ】最大角度の状態にある、図１Ａのインプラントを介して得られる中心面の断面図である。
【図５Ａ】図１Ａ及び１Ｂのインプラントを用いた、隣接した椎体間の前湾の角度の復元のプロセスを示す、一連の概略的な側面図である。
【図５Ｂ】図１Ａ及び１Ｂのインプラントを用いた、隣接した椎体間の前湾の角度の復元のプロセスを示す、一連の概略的な側面図である。
【図５Ｃ】図１Ａ及び１Ｂのインプラントを用いた、隣接した椎体間の前湾の角度の復元のプロセスを示す、一連の概略的な側面図である。
【図６Ａ】大孔（ｔｒａｎｓｆｏｒａｍｉｎａｌ）進入路を介する、図１Ａのインプラントの椎間腔への導入を示す、概略的な軸方向図である。
【図６Ｂ】インプラントの展開後の、図６Ａに類似する図である。
【図７】後方進入路を介して脊椎間において両側に展開される、図１Ａにおけるような１対のインプラントを示す概略的な軸方向図である。
【図８】前方又は側方の進入路を介する脊椎骨間の配置に適している、図１Ａのインプラントの変形の等角図である。
【図９】椎間腔内の図８のインプラントの配置を示す、概略的な軸方向図である。
【図１０】前方進入路を介して椎間腔内に展開される図８のインプラントの展開を示す、概略的な側面図である。
【図１１Ａ】最小角度の状態で示される、側方進入路を介する展開のために圧縮ツールによって保持される図８のインプラントの、概略的な等角図である。
【図１１Ｂ】増大した角度の状態で示される、側方進入路を介する展開のために圧縮ツールによって保持される図８のインプラントの、概略的な等角図である。
【図１２Ａ】横切進入路を介する、図１Ａのインプラントの椎間腔への導入を示す、概略的な軸方向図である。
【図１２Ｂ】インプラントの展開後の、図１２Ａに類似する図である。
【図１３Ａ】図１Ａのインプラントを用いた、隣接した椎体間の脊柱側湾症の誤整列を矯正するプロセスを示す、一連の概略的な前面図である。
【図１３Ｂ】図１Ａのインプラントを用いた、隣接した椎体間の脊柱側湾症の誤整列を矯正するプロセスを示す、一連の概略的な前面図である。
【図１３Ｃ】図１Ａのインプラントを用いた、隣接した椎体間の脊柱側湾症の誤整列を矯正するプロセスを示す、一連の概略的な前面図である。
【図１４Ａ】２つの組織接触面の間に調整可能な角度を備える、本発明の実施形態に従い構築され且つ作動するインプラントの等角図であり、インプラントは最小角度の状態で示される。
【図１４Ｂ】２つの組織接触面の間に調整可能な角度を備える、本発明の実施形態に従い構築され且つ作動するインプラントの等角図であり、インプラントは増大した角度の状態で示される。
【図１４Ｃ】２つの組織接触面の間に調整可能な角度を備える、本発明の実施形態に従い構築され且つ作動するインプラントの等角図であり、インプラントは最大角度の状態で示される。
【図１５Ａ】インプラントの中心面に沿って切り取られる、図１４Ａに類似する等角図である。
【図１５Ｂ】インプラントの中心面に沿って切り取られる、図１４Ｂに類似する等角図である。
【図１５Ｃ】インプラントの中心面に沿って切り取られる、図１４Ｃに類似する等角図である。
【図１６Ａ】図１４Ａのインプラントの構成部品を示す等角の分解図である。
【図１６Ｂ】図１６Ａの指定部分ＸＶＩの領域の拡大図である。
【図１７Ａ】展開ロッドにより、ラチェット構成の施錠を解除するのに有効な一体形成したラチェット解除要素と係合される、部分的に隆起した状態にあるインプラントを示す図１４Ｂのインプラントの側面図である。
【図１７Ｂ】展開ロッドの除去の間の図１７Ａに類似し、且つ、係合したラチェット構成を示す図である。
【図１８Ａ】図１７Ａを介して得られる、中心面の断面図である。
【図１８Ｂ】図１７Ｂを介して得られる、中心面の断面図である。
【図１９Ａ】送達システムに取り付けられる図１４Ａのインプラントを示す等角図である。
【図１９Ｂ】図１９Ａの指定部分ＸＩＸの領域の拡大図である。
【図２０Ａ】図１９Ａに示されるような送達システムを介して得られる、中心面の断面図である。
【図２０Ｂ】図２０Ａの指定部分ＸＸの領域の拡大図である。
【図２０Ｃ】図２０Ａの指定部分ＸＸＩの領域の拡大図である。
【図２１Ａ】展開ロッドの係合のために鍵穴スロットを使用する、図１４Ａ−１４Ｃのインプラントの変形の等角図である。
【図２１Ｂ】図２１Ａの指定部分ＸＸＩの領域の拡大図である。
【図２１Ｃ】鍵穴スロットの係合構成とカム式ラチェット機構解除特徴とを備える、図２１Ａのインプラントとの使用のための展開ロッドの等角図である。
【図２２Ａ】予め係合した状態にある展開ロッドを示す、図２１Ａのインプラントを介して得られる中心面の断面図である。
【図２２Ｂ】係合したラチェット解除状態にある展開ロッドを示す、図２１Ａのインプラントを介して得られる中心面の断面図である。
【図２２Ｃ】係合したラチェット係合状態にある展開ロッドを示す、図２１Ａのインプラントを介して得られる中心面の断面図である。
【図２３Ａ】図２２Ａに示される面ＸＸＩＩＩに沿って得られる断面図である。
【図２３Ｂ】図２２Ｂに示される面ＸＸＩＩＩに沿って得られる断面図である。
【図２３Ｃ】図２２Ｃに示される面ＸＸＩＩＩに沿って得られる断面図である。
【図２４Ａ】最小角度の状態で示される、連結セグメントの第１の代替的な展開を示す図１４Ａのインプラントの異なる実装に係る、インプラントの側面図である。
【図２４Ｂ】最大角度の状態で示される、連結セグメントの第１の代替的な展開を示す図１４Ａのインプラントの異なる実装に係る、インプラントの側面図である。
【図２５Ａ】最小角度の状態で示される、連結セグメントの更に代替的な展開を示す図１４Ａのインプラントの更に異なる実装に係る、インプラントの側面図である。
【図２５Ｂ】最大角度の状態で示される、連結セグメントの更に代替的な展開を示す図１４Ａのインプラントの更に異なる実装に係る、インプラントの側面図である。
【図２６Ａ】最小角度の状態で示される、連結セグメントの更に代替的な展開を示す図１４Ａのインプラントのまた更に異なる実装に係る、インプラントの側面図である。
【図２６Ｂ】最大角度の状態で示される、連結セグメントの更に代替的な展開を示す図１４Ａのインプラントのまた更に異なる実装に係る、インプラントの側面図である。
【発明を実施するための形態】
【００１７】
本発明は、２つの組織接触面の間に調整可能な角度を備える整形外科用インプラントである。
【００１８】
本発明に係るインプラントの原理並びに操作は、図面及び付随の記載を参照することでより良く理解され得る。
【００１９】
ここで図面を参照すると、図１Ａ−２５Ｂは、本発明の実施形態の教示に従い構築され且つ動作するインプラントの様々な実施形態を示す。
【００２０】
＜概要＞
実施形態の全てをまとめて参照すると、組織の第１の領域に接触するための第１の接触領域がある底部（１２）を持つ、組織の２つの領域の間の挿入のための、インプラントが示される。底部（１２）は、初期の長さを呈するように、第２の部分（１８）に対して変位可能な第１の部分（１６）を備え、且つ、第１の部分（１６）が第２の部分（１８）に対して変位されると、第２の長さに短縮される。組織の第２の領域に接触するための第２の接触面（２２）を持つヒンジ付けした要素（２０）は、有効なヒンジ（２４）にて底部（１２）の第１の部分（１６）と相互接続される。連結セグメント（２６）は、ヒンジ（２８）にて底部（１２）の第２の部分（１８）に、及び、ヒンジ（３０）にてヒンジ付けした要素（２０）の両方にヒンジ接続される。
【００２１】
連結セグメント（２６）の構造及び展開は、初期の長さから第２の長さへの底部（１２）の短縮により、連結セグメントがヒンジ付けした要素（２０）の領域を底部（１２）から押し離し、それにより第１の接触面（１４）に対する第２の接触面（２２）の角度を変えるような、構造及び展開である。
【００２２】
この段階で、本発明は、組織表面関の角度の関連性を調整するための、非常に都合のよい解決策を提供することが、既に認識されることになる。実装の第１の特に好ましいセット及び対応する用途において、以下に更に議論されるように、デバイスは椎間腔に展開され、所望の程度に前湾を回復するため、又は幾つかの場合には過度の脊柱前湾（ｈｙｐｅｒｌｏｒｄｏｔｉｃ）の調整を行うために作動する。他の用途において、デバイスは、脊柱側弯症の誤整列の矯正などのために、脊椎骨間の側方の誤整列の調整を可能にするように配向されることがある。デバイスは好ましくは、典型的には少なくとも１０度の範囲（最小角度から最大角度まで）にわたる、連続的又はほぼ連続的な範囲の調整を提供する。幾つかの実装において、３０度を超える角度に到達する調整が提供されてもよい。本発明のこれら及びの他の特徴は、以下の記載から、及び添付図面を参照することで、更に明らかになるであろう。
【００２３】
下記の本発明の様々な例示的実施形態は、構造と機能において非常によく類似していることを、認識されたい。簡潔に提示すると、１つの実施形態の文脈に記載される特徴は、別の実施形態の文脈に再度記載されることはなく、及び、明確に述べられ又はそれとは反対にはっきりと明白でない限り、全ての実施形態に等しく適用されることを理解されたい。例えば、図５Ａ−１３Ｃに関して記載される展開の様々な形態及び対応する方法、及び、図１９Ａ−２０Ｃに関して記載される典型的な送達システムは、それらが示されるインプラントの実施形態の詳細には限定されず、及び、当業者に明らかとなるように、必要とされる任意の小さな適応と共に、本明細書に開示される本発明の全ての実施形態に適用可能であることを、理解されたい。
【００２４】
＜定義＞
より詳細に本発明の特徴に対処する前に、本記載と請求項において使用されるような特定の用語を定義することが、有用となる。底部（１２）、ヒンジ付けした要素（２０）、及び連結セグメント（２６）などの様々な要素について言及される場合、各要素は実際に、堅く又は柔軟に相互接続される様々な従属部品（ｓｕｂｃｏｍｐｏｎｅｎｔ）で作られることを認識されたい。相対的に移動可能であると明確に称される底部（１２）の第１の部分（１６）と第２の部分（１８）を例外として、上記構成部品の従属部品への他の再区画（ｓｕｂｄｉｖｉｓｉｏｎｓ）は、最も好ましくは、それらが単一の構成部品として機械的に機能するように、堅く相互接続される。故に、一例として、図１Ａの実施形態において、底部（１２）の第１の部分（１６）が、ヒンジ（２４）を支持する橋架部（１６ａ）と堅く相互接続し、その一方でヒンジ付けした要素（２０）は、ヒンジ（２４）及び（３０）のピンにより相互接続される２つの長方形の構成部品から形成される。
【００２５】
組織を接触させるための様々な「接触面」、及び、前記接触面の間に形成される角度が言及される。本明細書に示される様々な実施形態から明らかになるように、接触面は典型的に平滑面ではないが、むしろ、隣接した組織表面、典型的には骨に対するデバイスの固着を促進する、様々なテクスチャ及び／又は組織の係合特徴により形成される。更に、接触面の全体的な特性は、例えば腰の脊椎の終板において対応する凹面に係合する凸面の湾曲部などの湾曲部を有し得る。そのような場合は全て、角度を画定するための接触面の平面は、例えば、最小二乗の不適合の最小化や、局所的な突出する特徴を放置することにより、全体の接触面上の最良適合平面によって画定される。底部（１２）の接触面（１４）が言及される場合、これは、隣接した組織と接触するように配置される第１の部分（１６）と第２の部分（１８）の両部分を備えるが、典型的には隣接した組織と接触しないことが予期される、比較的窪んだ中間部分は除く。
【００２６】
２つの接触面の間の角度は、典型的にインプラントの本体を越えて、交差すると推測される場合の２つの接触面の平面の間に形成される角度として、本記載及び請求項において画定される。２つの接触面の平面が平行する状態において、それらの間の角度は０として画定される。有効なヒンジ（２４）から最も遠くにあるヒンジ付けした要素（２０）の端部は、図１Ａ及び４Ａにおけるように、最初はヒンジ付けした要素（２０）の他端よりも底部（１２）に接近しており、角度は負として画定される。
【００２７】
様々な例からも明らかとなるように、接触面は典型的に完全な表面でないが、むしろ、包囲される又は側面が開いている（ｏｐｅｎ−ｓｉｄｅｄ）、様々な開口部（穴又は空間）を持つ。実際、脊椎融合術などのための特定の好ましい実装において、接触面は、合計で、接触面の占有領域の全面積の少なくとも４分の１、及び最も好ましくは少なくとも半分である１以上の開口部を持つ部分表面であることが、特に好ましい。この目的のための「接触面の占有領域」は、接触面の全部分（の突出部）を包含する接触面の平面において、最短の線によって包囲された領域であると見なされる。
【００２８】
接触面の長さが言及される場合、これは、図４Ｂにおける寸法Ｄ１によって例証される、接触面の占有領域の最大寸法を指す。連結セグメント（２６）の長さが言及される場合、これは、図４Ｂにおける寸法Ｄ２によって例証されるように、底部（１２）及びヒンジ付けした要素（２０）とのヒンジ相互接続の軸（２８）と（３０）の間の連結セグメントの寸法を指す。
【００２９】
「有効なヒンジ」又は「ヒンジ相互接続」が言及される場合、これは、角運動の関連範囲にわたる単一のヒンジに同様の効果を提供する、両方のヒンジ連結、枢軸の連結、及び一体成形ヒンジを指す。軸、又は有効な軸（２４）、（２８）、及び（３０）の全体形状は、形状の必要な変化を行う１つの可変長側部を持つ有効に剛性な三角形のままであることは、本発明の特定の好ましい実施形態の特定の特徴であるが、インプラントの本体外部にある有効な軸を画定し、及び／又は、調整中に幾らか移動する連結部又は統合関節（ｉｎｔｅｇｒａｌ  ｊｏｉｎｔ）も、本画定の範囲内にある。
【００３０】
本発明のデバイスの特定の配向、解剖学上の方向、又は１つの構成部品の別の構成部品に対する動作への何れか又は全ての言及は、単に提示を明瞭にするために使用され、且つ、それと反対に明確に述べられない限りは、請求されるような本発明の範囲を制限しないことに、留意されたい。デバイスは、例えば最上部に「底部（１２）」を含む任意の配向で使用されてもよく、第１の部分（１６）の第２の部分（１８）への動作は典型的に、問題となっている構成部品の何れか又は両方を動かすことにより達成され得る相対運動を指す。
【００３１】
用語「近位」及び「遠位」は、デバイスの展開中にそれぞれ医師の近くにあり及び医師から遠くにあるデバイスの部分に関連するように、それらの通常の意味で使用される。例示的な実施形態の多くにおいて、第１の部分（１６）は、近位部分に相当し、第２部分（１８）は遠位部分に相当する。しかし、この相当は例示的なものであり、制限するものと考慮されるべきでない。例えば、図１０の前方進入路インプラントに関して示されるように、逆の構成も明白に、本発明の範囲内にある。
【００３２】
＜幾何学構成＞
上述のように、本発明の広範囲の実装は本質的に、軸、或いは有効な軸（２４）、（２８）、及び（３０）の位置により画定される、剛性の三角形構成として確認され得、ここで、底部（１２）の少なくとも一部に対応する三角形の１つの側の短縮は、底部に対し、三角形の他の側の１つに関連して、ヒンジ付けした要素（２０）の角度の変化を生じさせる。この一般的な画定内で、軸の特定の位置、側の相対的な大きさ、及び、基礎をなす三角形に対する接触面の幾何学的形状は全て、意図した用途、角度の所要の範囲、予期された負荷、利用可能な展開の力、及び、使用される材料の特性に従い、かなり変わることもある。可能な幾何学形状の例の部分的なセットが、本明細書に記載される例に示される。
【００３３】
実装の１つのサブセットにおいて、図４Ａ−４Ｃに示される用語を参照すると、ヒンジ付けした要素（２０）の接触面長さＤ１は、連結セグメント長さＤ２よりも少なくとも４０％長く、且つ多くの場合には１００％長く、即ち、Ｄ１はＤ２の少なくとも２倍である。この比率は、ヒンジ付けした要素（２０）が組織を支持する機能を行い、その一方で、連結セグメント（２６）が内部の機械的支持機能のみを提供し、それにより要素（２０）と（２６）の間に非対称が生じるという事実を反映している。更に、様々な用途において、底部（１２）の完全に短縮した状態に相当する、連結セグメント（２６）の「完全に隆起した」状態は、底部（１２）の平面に対して急角度（典型的に７０度を超える）で展開される連結セグメント（２６）の軸間方向を持つことが、好ましい場合がある。
【００３４】
ヒンジ付けした要素（２０）の接触面長さＤ１はまた、典型的に、底部（１２）の最小長さＬ３の少なくとも８０％であり、様々な場合では、Ｌ３に少なくとも等しい。
【００３５】
実装の間で変わり得る更なるパラメータは、ヒンジ付けした要素（２０）に沿ったヒンジ接続部（３０）の位置である。特定の実装において、ヒンジ接続部（３０）は、有効なヒンジ（２４）から最も遠くにあるヒンジ付けした要素（２０）の端部に密に隣接して（即ち、そこから接触面の１０％以内で）位置付けられる。様々な場合において、有効なヒンジ（２４）に更に接近してヒンジ接続部（３０）を置き、それにより典型的に、底部（１２）の長さの与えられた調整のための角度調整範囲の増加を達成することが、好都合な場合がある。このため、本発明の特定の実装に好ましい、ヒンジ接続部（３０）の位置は具体的に、接触面長さの少なくとも１０％、ヒンジ付けした要素（２０）の端部から離れている。
【００３６】
一例では、図１Ａ−４Ｃに関して示されるインプラント（１０）、及び図１４Ａ−１８Ｂに関して示されるインプラント（２００）の、好ましいが限定されない例において、ヒンジ接続部（３０）は、端部から接触面長さの１０％と３０％の間で位置付けられる。図２４Ａ及び２４Ｂに示されたインプラント（３００）の好ましいが限定されない例において、ヒンジ接続部（３０）は、端部から接触面長さの３０％と６０％の間で位置付けられる。図２５Ａ及び２５Ｂに示されたインプラント（４００）の更に好ましいが限定されない例において、ヒンジ接続部（３０）は、有効なヒンジ（２４）から接触面長さの５０％と８０％の間で位置付けられる。図２６Ａ及び２６Ｂに示されたインプラント（５００）のまた更に好ましいが限定されない例において、ヒンジ接続部（３０）は、有効なヒンジ（２４）から最も遠くにある端部から接触面長さの８０％と１００％の間で位置付けられ、一方で有効なヒンジ（２４）自体は、底部の接触面（１４）の近くに動かされ、それにより底部の長さが変化した場合に、ヒンジ付けした要素（２０）を枢動するのに必要とされるてこ（ｌｅｖｅｒａｇｅ）を確保する。
【００３７】
後者の選択肢（特に、インプラント（４００）と（５００））は、底部（１２）の第１の部分（１６）と第２の部分（１８）の間の遥かに小さな相対運動により与えられる角度調整の達成を促進し、及び／又は、遥かに大きな範囲の角度調整を達成することができ、例えば、所望される場合に過度の脊柱前湾の矯正のために４０度を越える角度を提供する。出力の角運動の比率の増加は、前述の実施形態よりも著しく大きな機械的応力に構成部品をさらし、それ故、強力な機械材料及び／又はより強健な構造設計の使用を必要とする。そのような高応力のインプラントを含む、本発明の様々な実施形態を製造するのに適切な材料の典型的であり限定されない例は、チタンである。低応力の実装に更に適切な付加的な材料は、ＰＥＥＫなどの生体適合性構造ポリマーである。
【００３８】
＜作動機構及び施錠機構＞
本発明のインプラントの角度調整は、底部（１２）を短縮することにより、即ち、第１の部分（１６）と第２の部分（１８）を互いに引き寄せることにより、好ましくは達成され、「作動」として本明細書で言及される。大抵の場合、作動後、典型的にはインプラントが調整中に達成した最終的な隆起状態で、又はほぼ隆起した状態で、インプラントの角度を付けた状態を維持することが、所望される。これは、「施錠する」として本明細書で言及される。作動と施錠の機能は、単一の組み合わせの機構、又は、各機能に専用とされる別個の機構により行われてもよく、そのような機構は、必要に応じて、インプラント構造に統合されるか、又は、使用前にインプラント内に展開可能か或いは使用後にインプラントから取り外し可能な別個の構造であってもよい。
【００３９】
組み合わせて統合される作動及び施錠の機構の限定されない例として、ネジ山が刻設されたアクチュエーター（ｔｈｒｅａｄｅｄ  ａｃｔｕａｔｏｒ）（図示せず）が、第１の部分（１６）と第２の部分（１８）を連結するように展開されてもよく、それにより、アクチュエーターボルトの、又は締め付けナットの回転は、２つの部分を共に引き寄せるために力を加えるのに有効であり、それにより底部（１２）を短縮する。適切に選ばれたネジのピッチを備えたネジ山が刻設されたアクチュエーターはまた、摩擦係止（ｆｒｉｃｔｉｏｎａｌ  ｌｏｃｋｉｎｇ）を達成し、それによりデバイスの任意の所望の最終的な角度を維持する。ネジ山が刻設されたアクチュエーターは、上記で議論されたインプラント（４００）及び（５００）などの高応力の実装に特に適している。
【００４０】
代替的に特に好ましいが限定されない実装のセットにおいて、取り外し可能な作動機構が利用され、最も好ましくは、本体内にインプラントを位置決めするために送達システムに統合される。そのようなシステムの一例は図１９Ａ−２０Ｃに示される。
【００４１】
取り外し可能な作動システムの操作の好ましい原理は、第１の部分（１６）に対応するインプラントの近位端において開口部（３４）を介して挿入され、そして、第２の部分（１８）に対応する遠位部分に係合する、展開ロッド（図１７Ａ−１８Ｂ及び２０Ａ−２０Ｃ）を利用する。この係合の結果、遠位方向でインプラントの近位端（この場合、第１の部分（１６））に加えられる力は、展開ロッド（３２）を介して第２の部分（１８）に加えられる反力によって対抗され得、それにより底部（１２）を短縮させる。
【００４２】
展開ロッド（３２）の先端の遠位部分（１８）との係合は、図１８Ａに示されるように螺合部（３６）等を介する任意の適切な展開によって、又は、図２１Ａ−２１Ｃに示されるようにピン（３８）及び鍵穴スロット（４０）の配置によって、行われてもよい。作動力の適用は好ましくは、図１９Ａ−２０Ｃのものなどの、送達システムのハンドルに組み込まれたアクチュエーター機構の使用によって達成され、それは、第１の部分（１６）と第２の部分（１８）の相対的な変位の連続的且つ制御可能な調整を可能にする。作動の完了後、展開ロッド（３２）は好ましくは第２の部分（１８）から解除され、そして展開システムは取り外される。取り外し可能なアクチュエーター構造は、椎体間の融合の用途において特に有益であり、ここで、インプラントの残りの内容積は好ましくは、組織接触面において前述の開口部に隣接し、脊椎の終板の間の骨橋の形成のために貫通チャネルを設ける。近位の開口部（３４）はまた、自然な骨細片又は処理された骨細片などの充填材料、薬、及び／又は他の充填剤の導入及び／又は補給を可能にする。
【００４３】
一般的に（６０）と明示される送達システムの限定されない例が、図１９Ａ−２０Ｃに示される。送達システムは好ましくは、インプラントの側方の把持領域（６４）（図１４Ａにおいて視認可能）に係合するように構成された相補的な係合特徴を備えた、１対の顎部（６２）を含む二叉の把持機構を備える。顎部（６２）は、ネジ山が刻設されたカラー（ｔｈｒｅａｄｅｄ  ｃｏｌｌａｒ）（６８）の回転により外部スリーブ（６６）を進行させる又は引っ込めることにより、インプラント（２００）に対して締め付けられ、且つそれとの係合を解除される。
【００４４】
インプラントの接触面の角度の調整は、第１の部分（１６）を遠位に押す顎部（６２）の相対運動によって達成され、一方で反力が、展開ロッド（３２）を介して第２の部分（１８）に加えられる。これらの力を作り出すための例示的な機構は図２０Ａと２０Ｃに示される。
【００４５】
本明細書に示される例において、ハンドル（７０）の回転は、外側ハウジング（７４）に対する軸方向運動に対して施錠されるが、自由に回転することができる、挿入部（７２）の回転を引き起こす。挿入部（７２）は、ハウジング（７４）内での軸方向運動に機械的に制限されるディスプレーサ要素（７８）と係合する、内部のネジ山が刻設されたカラー（７６）にて終端となる。ディスプレーサ要素（７８）は、外部スリーブ（６６）及び顎部（６２）に機械的に連結される、アクチュエータースリーブ（８０）に係合する。展開ロッド（３２）は、この全体のアセンブリの中心を通り抜けて、ロッド（３２）において周辺凹部（８４）と係合するクランプ要素（８２）により、ハウジング（７４）に対する軸方向変位に対して固定される。この構造の結果、ハンドル（７０）の回転は、展開ロッド（３２）に対してディスプレーサ要素（７８）を進めて、それにより、アクチュエータースリーブ（８０）及び顎部（６２）を介して、展開ロッド（３２）により保持される遠位部分（１８）の方に近位部分（１６）を押し出すのに必要とされる力を加えるのに、有効である。好ましくは、角度指示器（８６）は、ハウジング（７４）に設けられる角度のマーキングに対して動くようにディスプレーサ要素（７８）に関連付けられ、それにより、インプラントの接触面によって現在到達した角度を医師に示す。
【００４６】
取り外し可能な作動システムの使用は典型的に、別個の施錠機構の提供を必要とする。広範囲の施錠機構は、本発明を実施するために使用されてもよく、限定されないが、インプラントの２以上の要素の相対位置を固定するための、様々な支持（ｐｒｏｐｐｉｎｇ）要素、ピン、又はボルトの挿入を含む。本発明の実装の特に好ましい１つのサブセットは、デバイスの所望の展開状態を維持するためのラチェット構成を使用する。
【００４７】
具体的に、第１の部分（１６）及び第２の部分（１８）は好ましくは、ラチェット構成を画定する相補的な特徴で形成される。本明細書に示されるような相補的な特徴は、近位部分（１６）に関連付けられた一連のラチェット歯（４２）、及び、遠位部分（１８）に関連付けられた弾性的に付勢された戻り止め（４４）を備える。ラチェット構成は、初期の長さから様々な長さへの底部（１２）の短縮を可能にするように、且つ、底部の延長に対抗するように展開される。
【００４８】
ラチェット構成の使用は、展開中にインプラントの角度の無制限の調整を可能にし、その一方で、展開システムが解除された後に展開された角度が最大角度にかなり近づいた状態で維持されることを確実にするという点で、特に都合がよい。ラチェット歯の間隔は、施錠位置の間の距離を画定し、少なくとも１つ、好ましくは少なくとも３つ、より好ましくは少なくとも６つの、インプラントが施錠する連続した状態を画定する。幾つかの場合、１０以上の歯が、施錠位置の疑似連続的な範囲を達成するために使用されてもよい。
【００４９】
上記で言及されるように、接触面が大きな開口部を持つこと、好ましくは、幾つかの場合にラチェット構成の中央位置を排除する、接触面（１４）の長さの少なくとも一部に沿う主要な中央開口部を含むことが、典型的には好ましい。代わりに、本明細書に示されるような特に好ましい実装は、図３Ａと１６Ａで最も良く確認出来るように、二叉の第２の部分（１８）の各側部に沿う１列のラチェット歯（４２）を伴う、両側に展開される１対のラチェット配置、及び、第１の部分（１６）上の間隔をおいて偏向した戻り止め（４４）の対応する対を使用する。これは、展開されたインプラントに安定性及び剛性の増強を提供する。
【００５０】
ラチェット構成が任意の配向で実装され、且つ、近位部分と遠位部分の間で恣意的に反対にされてもよいことを、留意されたい。故に、一連のラチェット歯は近位部分（１６）の一部として実装され、且つ、ヒンジ付けした要素（２０）に向かい「上方に」、接触面（１４）に向かい「下方に」、インプラントの内部空間に向かい内側に、又は外側に面していてもよい。
【００５１】
全ての医療用インプラントに関して、展開プロセス中又はその後日に、インプラントを再配置又は取り外すことが、特定の場合において所望されることがある。随意に、ラチェット歯（４２）の裏面は、比較的急勾配の隆起面を有するが、立面又はアンダーカット面により達成される完全な施錠を回避する場合がある。この場合、ラチェット構成の逆の抵抗性を解消するのに十分な外部の力の適用によって施錠が解消されることが可能になる。しかし、より好ましくは、本発明は、ここで記載されるように、大きな力の適用を必要とすることなく、角度の展開の逆転を促進するラチェット解除機構を提供する。
【００５２】
＜ラチェット解除機構＞
前置きとして、調整可能な角度のインプラントの文脈に記載されているが、本明細書に記載されるラチェット及びラチェット解除機構は、任意の調整可能なインプラントに広く適用することができ、該インプラントにおいて、調整は、２つの構成部品の間の相対運動により達成され、該相対運動は、２つの構成部品が調整の終わりに到達する変位された位置にて通常は維持されねばならないが、インプラントを再調整、再配置、又は再度取り外すために解除されねばならない。そのような機構が都合良く使用され得るインプラントの更なる例は、限定されないが、前湾の矯正の有無にかかわらず、拡張ゲージなどの、調整可能な寸法のインプラントを含む。
【００５３】
ラチェット解除機構の特に好ましいが限定されない１つの例は、図１６Ａと１６Ｂに示される。ラチェット配置の解除、及び、特にこの場合において左右一対（ｂｉｌａｔｅｒａｌ  ｐａｉｒ）のラチェット構成の同時解除を促進するために、クロスバー（４６）が戻り止め（４４）に機械的に連結され、それにより、（ここで示される配向での）クロスバー（４６）の上方変位が、弾性支持構造を曲げて、ラチェット歯（４２）との係合から戻り止め（４４）を持ち上げるのに有効となる。
【００５４】
ラチェット構成の解除は故に、クロスバー（４６）に突き当たって戻り止め（４４）のラチェット歯（４２）との係合を解除し、それによって底部（１２）の延長を可能にするように、近位の開口部（３４）を介する適切に形成されたラチェット解除要素の挿入により達成される。特に好ましい実装のセットにおいて、展開プロセス中に必要とされる場合の展開の逆転を促進するために、この「ラチェット解除要素」は展開ロッド（３２）の一部として統合される。
【００５５】
この方法に従い、展開ロッド（３２）の底部（１２）の遠位部分（この場合、第２部分（１８））との係合は、展開ロッドの第１の動作を可能にする一方で展開ロッド（３２）の遠位部分との係合を維持するように構成される。展開ロッド（３２）は、この第１の動作がクロスバー（４６）に突き当たる少なくとも１つの特徴を持ちあげ、それにより戻り止め（４４）のラチェット歯（４２）との係合を解除して底部の延長を可能にするように展開される、少なくとも１つの特徴と共に設けられる。
【００５６】
これら特徴の第１の実装は、図１７Ａ−１８Ｂに更に示される。具体的に、展開ロッド（３２）と第２の部分（１８）との間の螺合部（３６）は、様々な軸方向位置が、使用される展開ロッド（３２）の軸回転の回数に依存して螺合部に係合するのを可能にする。展開ロッド（３２）は外側ステップ（４８）を特徴とし、外側ステップ（４８）は、第１軸方向位置（図１８Ａ）において、螺合部（３６）と完全に係合すると、外側ステップ（４８）がクロスバー（４６）につきあたり、示されるように上方に曲がり、それにより、図１７Ａに示されるように戻り止め（４４）をラチェット歯（４２）から解除するように、位置決めされる。第２軸方向位置（図１８Ｂ）において、展開ロッド（３２）が螺合部（３６）の一部のみに沿って係合されると、外側ステップ（４８）は、クロスバー（４６）が無応力状態に戻されるほど十分にロッドの軸に沿って引き抜かれ、戻り止め（４４）はラチェット歯（４２）と係合して（図１７Ｂ）、インプラントの展開状態を維持する。
【００５７】
代替的な実装は図２１Ａ−２３Ｃに示され、そこでは、展開ロッド（３２）と遠位（第２）部分（１８）との係合は、鍵穴スロットを鍵穴開口部（４０）に係合させる側方ピン（３８）により達成される。図２３Ａ−２３Ｃにおいて最も良く見られるように、展開ロッド（３２）はここで、上方のピン（３８）を伴う第１の位置（図２３Ａ）（ロッドは鍵穴開口部（４０）を介して自由に挿入され且つ取り外すことができる）、反時計回りに９０度回転される第１回転位置（図２３Ｂ）（ピン（３８）はバヨネットスロット内で既に施錠されている）、及び、反時計回りに１８０度回転される第２回点位置（図２３Ｃ）を呈する。図２１Ｃにおいて最も良く見られるように、クロスバー（４６）と位置合わせされるように位置決めされる展開ロッド（３２）の領域は、この例においてピン（３８）にほぼ対抗する最大半径と共に示される、偏心カム表面（５０）と共に設けられる。この構造の結果、第１の回転位置から第２の回転位置までの展開ロッド（３２）の回転は、クロスバー（４６）に突き当たるようにカム表面（５０）を持ち上げ、それによりラチェット歯（４２）との係合から戻り止め（４４）を持ち上げるのに有効である。
【００５８】
随意に、本発明のインプラントの通常の挿入は、係合されるラチェット配置により行われてもよく、それにより、調整プロセス中にインプラントの即時の段階的な保持と安定化を達成する。この場合、ラチェット配置は、医師に有用であり得る調整プロセス中に可聴及び／又は触知可能なフィードバックを提供し得る。ラチェット機構を解除するための展開ロッドの更なる動作が、その後、インプラントを再調整、再配置、又は再度取り外すことが必要となる事象においてのみ行われる。
【００５９】
代替的に、ラチェット解除状態は展開中に初期状態として使用されてもよい。全ての場合において、ラチェットの再係合は好ましくは、解除プロセスの一部として、及び遠位部分からの展開ロッド（３２）の完全な解除の前に生じ、それにより、インプラントに作用する任意の力がインプラントの意図した調整状態を確実に妨げないことを支援する。
【００６０】
＜本発明の例示的な用途＞
本発明のインプラントは、組織の２つの領域の相対的な角度展開を調整することが所望される、広範囲の用途において使用されてもよい。限定されない特に好ましい例として、本発明は、主として様々な脊椎骨間の用途の文脈において、本明細書に示される。
【００６１】
具体的に、図５Ａ−５Ｂに概略的に示されるように、インプラント（１０）（又は、５２、２００、３００、４００、或いは５００）は、第１接触面（１４）が椎骨体部（９００）の第１部の終板に接触し、第２接触面（２２）が椎骨体部（９０２）の第２部の終板に接触するように、２つの椎骨体部（９００）と（９０２）の間に導入される。その後、底部（１２）の第１部分（１６）と第２部分（１８）の相対運動が、接触面間の角度の変化を行い、それにより終板間の角度を変更するために使用される。
【００６２】
図５Ａ−５Ｃの特異的な実例は、例えば大孔又は後方の腰の椎体間融合（ＴＬＩＦ又はＰＬＩＦ）手術の一部として、隣接する椎骨体部間の前湾の角度を復元又は増大するための前湾の矯正のためにインプラントが使用される、大孔又は後方の進入路の典型である。図５Ａは、インプラントの導入を示す。展開されたインプラントの場所（ｐｌａｃｅｍｅｎｔ）は、調整前に図５Ｂに、及び、前湾の角度の復元後に図５Ｃに示される。
【００６３】
図６Ａ及び６Ｂは、大孔進入路を介するインプラント（１０）（又は本明細書に記載される他の実施形態）の展開及び最終的な配置を示す、概略的な平面図である。
【００６４】
図７は後方進入路を介する最終的な展開を示す。この場合、１対のインプラントの両側での使用が示され、そこでは、両方のインプラントが椎骨体部間の角度の矯正に寄与する。１より多くのインプラントの使用は、大孔、側方、及び他の進入路に関しても、本発明の範囲内に包含される。
【００６５】
意図した用途及び利用可能なアクセス経路に従い、インプラントの寸法及び比率が容易に適応され得ることを、留意されたい。例えば、図８と９に示されるように、前方又は側方の進入路の経路に関して、椎骨体部の終板の寸法の多数を占めるように大きさを合わせられた、単一の解剖学的に形成されたインプラント（５２）を利用することが、好ましい場合もある。前方の配置に関して、第２部分（１８）は、進入路の前方向に対して底部（１２）の近位端となり、近位開口部（３４）はこの場合、第２部分（１８）及び／又は連結セグメント（２６）を横切る。図１０に示されるように、インプラント（５２）の固定は、前方に配置した骨ねじ（５４）の挿入によって随意に増強されてもよい。
【００６６】
インプラント（５２）はまた、側方進入路を介して導入されてもよい。この目的のために、図１１Ａ及び１１Ｂにおいて概略的に表されるように、インプラント調整の把持及び作動は典型的に、側方に係合した圧縮ツール（５６）を介して行なわれる。
【００６７】
前湾の矯正の代わりとして、本発明の特定の実装が、他のタイプの角度調節又は矯正を行なうのに都合が良くなるように使用されることもある。一例として、図１２Ａ−１３Ｃは、隣接した椎骨体部間の脊柱側弯症の誤整列を矯正するために、適切に大きさを合わせたインプラント（１０）の実装の使用を示す。
【００６８】
図１２Ａ−１２Ｂの実装において、側方進入路が示され、それにより、角度矯正が側方に生じるようにインプラントを位置合わせする。明白に、図１１Ａと１１Ｂに示されるものに類似するインプラント及び送達システムが、前方進入路を介して導入され得、それにより側方の位置合わせの偏向の調整を達成する。
【００６９】
図１３Ａ−１３Ｃに示されるように、この場合における調整のエンドポイントは典型的に、約０の角度傾斜であり、従って、比較的小さな範囲の角度調整を伴うインプラントの実装が、典型的に十分である。全ての用途に関して、所望の位置合わせ矯正を達成するために臨床設定において医師により選択されたインプラントの実際の調整状況は、かなり変わることもある。
【００７０】
上記の記載が単に例として役立つように意図され、且つ、多くの他の実施形態が、添付の請求項において定義されるような本発明の範囲内で可能であるが理解されるであろう。
【図１Ａ】
0006493989.tif 000002
【図１Ｂ】
0006493989.tif 000003
【図１Ｃ】
0006493989.tif 000004
【図２Ａ】
0006493989.tif 000005
【図２Ｂ】
0006493989.tif 000006
【図３Ａ】
0006493989.tif 000007
0006493989.tif 000008
【図４Ａ】
0006493989.tif 000009
【図４Ｂ】
0006493989.tif 000010
【図４Ｃ】
0006493989.tif 000011
【図５Ａ】
0006493989.tif 000012
【図５Ｂ】
0006493989.tif 000013
【図５Ｃ】
0006493989.tif 000014
【図６Ａ】
0006493989.tif 000015
【図６Ｂ】
0006493989.tif 000016
【図７】
0006493989.tif 000017
【図８】
0006493989.tif 000018
【図９】
0006493989.tif 000019
【図１０】
0006493989.tif 000020
【図１１Ａ】
0006493989.tif 000021
【図１１Ｂ】
0006493989.tif 000022
【図１２Ａ】
0006493989.tif 000023
【図１２Ｂ】
0006493989.tif 000024
【図１３Ａ】
0006493989.tif 000025
【図１３Ｂ】
0006493989.tif 000026
【図１３Ｃ】
0006493989.tif 000027
【図１４Ａ】
0006493989.tif 000028
【図１４Ｂ】
0006493989.tif 000029
【図１４Ｃ】
0006493989.tif 000030
【図１５Ａ】
0006493989.tif 000031
【図１５Ｂ】
0006493989.tif 000032
【図１５Ｃ】
0006493989.tif 000033
【図１６Ａ】
0006493989.tif 000034
【図１６Ｂ】
0006493989.tif 000035
【図１７Ａ】
0006493989.tif 000036
【図１７Ｂ】
0006493989.tif 000037
【図１８Ａ】
0006493989.tif 000038
【図１８Ｂ】
0006493989.tif 000039
【図１９Ａ】
0006493989.tif 000040
【図１９Ｂ】
0006493989.tif 000041
【図２０Ａ】
0006493989.tif 000042
【図２０Ｂ】
0006493989.tif 000043
【図２０Ｃ】
0006493989.tif 000044
【図２１Ａ】
0006493989.tif 000045
【図２１Ｂ】
0006493989.tif 000046
【図２１Ｃ】
0006493989.tif 000047
【図２２Ａ−２２Ｃ】
0006493989.tif 000048
【図２３Ａ】
0006493989.tif 000049
【図２３Ｂ】
0006493989.tif 000050
【図２３Ｃ】
0006493989.tif 000051
【図２４Ａ】
0006493989.tif 000052
【図２４Ｂ】
0006493989.tif 000053
【図２５Ａ】
0006493989.tif 000054
【図２５Ｂ】
0006493989.tif 000055
【図２６Ａ】
0006493989.tif 000056
【図２６Ｂ】
0006493989.tif 000057